(57)【要約】【課題】  ＳＨＤＳＬ電話局装置と加入者装置との連結を簡素化して、ＳＨＤＳＬ電話局装置と加入者の連結回線の管理が容易なＥ１／Ｔ１の変換機能を備えたＳＨＤＳＬのモデム装置を提供する。【解決手段】  Ｔ１信号又はＥ１信号を入出力するＥ１／Ｔ１のインタフェイス部と、信号をＴ１信号又はＥ１信号のクラックと同期化するＰＬＬ部と、信号のフレーム構造をＴ１又はＥ１信号のフレーム構造に合うように再構成するＥ１／Ｔ１フレイマ／ディフレイマと、Ｔ１信号が入力される場合にこれをＥ１回線で使えるビットレートに変換して出力し、Ｅ１信号が入力される場合にこれをＴ１回線で使えるビットレートに変換して出力するＥ１／Ｔ１ビットレート変換部と、これらを制御する制御部とを備える構成とする。【選択図】  図３
0003110738.tif 000002
【実用新案登録請求の範囲】
【請求項１】
ＳＨＤＳＬ(Symmetric High-speed Digital Subscriber Line) モデム装置において、
Ｔ１回線で使われるＴ１信号又はＥ１回線で使われるＥ１信号を、前記Ｔ１回線又は前記Ｅ１回線に入出力するＥ１／Ｔ１インタフェイス部と、
前記Ｔ１信号及び前記Ｅ１信号の中のいずれか一方で信号が入出力されるように、前記Ｔ１信号及び前記Ｅ１信号の中のいずれかの信号のクラックと同期化するＰＬＬ部と、
前記Ｔ１信号及び前記Ｅ１信号の中のいずれかの信号のフレーム構造に合うようにフレームを再構成するＥ１／Ｔ１フレイマ/ディフレイマと、
前記Ｔ１信号及び前記Ｅ１信号の中のいずれかの信号のビットレートに変換するＥ１／Ｔ１ビットレート変換部と、
前記Ｅ１／Ｔ１インタフェイス部或いは前記ＳＨＤＳＬモデムのＳＨＤＳＬインタフェイス部を介して入力された信号を、前記Ｔ１信号及びＥ１信号の中のいずれかの信号のクラックに同期化すると共に、前記クラックに同期化された信号を前記Ｔ１信号及び前記Ｅ１信号の中のいずれかのフレーム構造に合うようにフレームを再構成し、さらに前記フレームに再構成された信号を前記Ｔ１信号及び前記Ｅ１信号の中のいずれかのビットレートに変換して前記ＳＨＤＳＬインタフェイス部或いは前記Ｅ１／Ｔ１インタフェイス部に出力するように制御する制御部と、を備えることを特徴とするＥ１／Ｔ１の変換機能を備えたＳＨＤＳＬモデム装置。
【請求項２】
前記ＳＨＤＳＬモデムから発信される信号の強さにより制限される所定の制限距離以上離れて配置された加入者装置に前記Ｔ１信号又は前記Ｅ１信号を伝達するための光モデムをさらに備えることを特徴とする請求項１記載のＥ１／Ｔ１の変換機能を備えたＳＨＤＳＬモデム装置。
【請求項３】
前記制御部は、前記ＳＨＤＳＬインタフェイス部から入力される信号を、前記Ｔ１信号及び前記Ｅ１信号の中のいずれかの信号のクラックに同期化すると共に、前記クラックに同期化された信号を前記Ｔ１信号及び前記Ｅ１信号の中のいずれかの信号のフレーム構造に合うようにフレームを再構成し、さらに前記フレームに再構成された信号を前記Ｔ１信号及び前記Ｅ１信号の中のいずれかの信号のビットレートに変換して前記ＳＨＤＳＬインタフェイス部から再出力するループバック機能を備えることを特徴とする請求項１記載のＥ１／Ｔ１の変換機能を備えたＳＨＤＳＬモデム装置。
【請求項４】
前記制御部は、Ｅ１／Ｔ１インタフェイス部から入力された信号を、前記Ｔ１信号及びＥ１信号の中のいずれかの信号のクラックに同期化すると共に、前記クラックに同期化された信号を前記Ｔ１信号及び前記Ｅ１信号の中のいずれかの信号のフレーム構造に合うように再構成し、さらに前記フレームが再構成された信号を前記Ｔ１信号及び前記Ｅ１信号の中のいずれかの信号のビットレートに変換してＥ１／Ｔ１インタフェイス部に再出力するループバック機能を備えることを特徴とする請求項１記載のＥ１／Ｔ１の変換機能を備えたＳＨＤＳＬモデム装置。
【請求項５】
前記Ｅ１／Ｔ１フレイマ/ディフレイマは、前記Ｔ１信号の制御チャンネルに含まれる制御情報を、前記Ｅ１信号の制御チャンネルに挿入するか、又は前記Ｅ１信号の制御チャンネルに含まれた制御情報を、前記Ｔ１信号の制御チャンネルに挿入することを特徴とする請求項１記載のＥ１／Ｔ１の変換機能を備えたＳＨＤＳＬモデム装置。
【考案の詳細な説明】
【技術分野】
【０００１】
本考案は、ＳＨＤＳＬ(Symmetric High-speed Digital Subscriber Line：対称形ディジタル加入者回線)のモデムに関し、特にＥ１／Ｔ１回線の環境にてフレームを再構成することによるＥ１／Ｔ１の変換機能を備えたＳＨＤＳＬモデム装置に関する。
【背景技術】
【０００２】
ＳＨＤＳＬとは、ＩＴＵ(International Telecommunications Union：国際電気通信連合)のＧ．９９１．２標準で発表された対称形ディジタル加入者回線(Digital Subscriber Line)の技術である。
【０００３】
これは対称形ディジタル加入者回線(Symmetric DSL：SDSL)と高速ディジタル加入者回線(High speed DSL：HDSL)の技術を採用したものであり、広域幅/長距離の適応性、スペクトルの適応性、障害復旧の機能を提供し、多重音声伝送、インターネット接続、遠隔ＬＡＮ接続のためのビジネス応用に適している。特に、伝送可能な距離が比較的短距離に制限されていた従来のＤＳＬ技術を改善してデータの長距離伝送が可能なようにする。
【０００４】
図１は、このようなＳＨＤＳＬ技術を適用して、ＳＨＤＳＬ電話局装置と加入者装置とが連結される種々の構成の例を示す図である。図１(ａ)は、最も一般的な構成の一つであるＳＨＤＳＬ電話局装置(１００)と加入者装置(１０４)との連結状態を示し、また図１(ｂ)は、図１(ａ)の構成に光モデム(１０６，１０８)を追加したものである。まず、図１(ａ)を参照すると、 加入者装置(１０４)は、回線を通じて接続されたＳＨＤＳＬモデム(１０２)を介してＳＨＤＳＬ電話局装置(１００)からデータをダウンロード及びアップロードすることができる。しかし、前記加入者装置(１０４)とＳＨＤＳＬモデム(１０２)との距離が制限距離以上離れている場合には、図１(ａ)の構成では加入者装置(１０４)がＳＨＤＳＬモデム(１０２)と通信することができないので、このような制限を解消するために、図１（ｂ）に示すようにＳＨＤＳＬモデム(１０２)と加入者装置(１０４)との間に光モデム(１０６，１０８)をさらに介在させた構成とする。なお、制限距離以上離れているとは、例えばモデムから発信される信号の強さ（伝送中の損失も含む）により制限される通信可能な距離以上離れて加入者装置が配置されていることをいう。
【０００５】
ところで図１（ｃ）及び図１（ｄ）をそれぞれ参照すると、図１(ａ)及び（ｂ)とは異なり、Ｅ１／Ｔ１変換機(１１０)をさらに備えている。ここでＥ１、Ｔ１とは、ＳＨＤＳＬ電話局装置(１００)と加入者装置(１０４)で使われる２種類の回線のことであり、そのうち、Ｔ１は１．５４４Ｍｂｐｓの広域を使う回線であり、 また、Ｅ１は２．０４８Ｍｂｐｓの広域を使う回線をいう。前記Ｔ１の場合、通常、２４チャンネルで構成されている。このようなＴ１信号及びＥ１信号の使用例をみると、例えばＩＳＤＮ(Integrated Services Digital Network)の場合には、Ｔ１信号は、全体２４チャンネルの中の２３チャンネルをデータチャンネルに使い、残りの１チャンネルを制御チャンネルに使う。またＥ１信号は、全体３２チャンネルの中の３０チャンネルをデータチャンネルに使い、残りの２チャンネルを制御チャンネルに使う。
【０００６】
ここで、一般的に時分割多重(Time Division Multiplexing；TDM)方式を用いた場合には、一つのチャンネルは一つのタイムスロットを使うため、Ｔ１信号は、一つのフレームに各々のチャンネルに対応する２４のタイムスロットを有し、Ｅ１信号は、一つのフレームに各々のチャンネルに対応する３２のタイムスロットを有している。 したがって、仮にＳＨＤＳＬ電話局装置(１００)で使われる回線がＥ１であって、加入者装置(１０４)で使われる回線がＴ１である場合には、このようなチャンネル数と広域幅などの差により加入者装置(１０４)はＳＨＤＳＬ電話局装置(１００)と通信することが出来ない。
【０００７】
従って、このようにＳＨＤＳＬ電話局装置(１００)で使われる回線と、加入者措置(１０４)で使われる回線とが異なる場合には、上記の図１（ｃ）で示してあるように加入者装置(１０４)で入力される信号をＳＨＤＳＬ電話局装置(１００)で使用する信号の形態に変換するためのＥ１／Ｔ１変換機(１１０)を備えた構成とされる。そしてさらに、ＳＨＤＳＬモデム(１０２)と加入者装置(１０４)との間の距離が制限距離(約２００ｍ)以上の場合には、図１（ｄ）に示すように、光モデム(１０６，１０８)を介在させて制限を解消するようにする。
【考案の開示】
【考案が解決しようとする課題】
【０００８】
しかしながら、上記図１に示すように接続されたＳＨＤＳＬ電話局装置(１００)と加入者装置(１０４)の場合、多数の装置を経て互いに接続されているので、その分において装置管理が非常に複雑で難しいという欠点がある。即ち、例えば上記図１（ｄ）のような場合、回線上の問題の発生あるいは定期的に回線状態を監査する際にはＳＨＤＳＬモデム(１０２)、Ｅ１／Ｔ１変換機(１１０)、電話局装置(１００)側の光モデム(１０６)及び加入者側の光モデム(１０８)の夫々について点検しなければならない。そのため、点検に長時間を要し、点検するための作業者の負担が大きいという問題があった。
【０００９】
本考案は、上述のような従来の問題点を解決するために提案されたものであり、その目的はＳＨＤＳＬ電話局装置と加入者装置との連結を簡素化して、ＳＨＤＳＬ電話局装置と加入者の連結回線の管理が容易なＥ１／Ｔ１の変換機能を備えたＳＨＤＳＬのモデム装置を提供することにある。
【課題を解決するための手段】
【００１０】
上述した目的を達成するための本考案のＳＨＤＳＬモデム装置は、Ｔ１回線で使われるＴ１信号又はＥ１回線で使われるＥ１信号を、前記Ｔ１回線又は前記Ｅ１回線に入出力するＥ１／Ｔ１インタフェイス部と、前記Ｔ１信号及び前記Ｅ１信号の中のいずれか一方で信号が入出力されるように、前記Ｔ１信号及び前記Ｅ１信号の中のいずれかの信号のクラックと同期化するＰＬＬ部と、前記Ｔ１信号及び前記Ｅ１信号の中のいずれかの信号のフレーム構造に合うようにフレームを再構成するＥ１／Ｔ１フレイマ/ディフレイマと、前記Ｔ１信号及び前記Ｅ１信号の中のいずれかの信号のビットレートに変換するＥ１／Ｔ１ビットレート変換部と、前記Ｅ１／Ｔ１インタフェイス部或いは前記ＳＨＤＳＬモデムのＳＨＤＳＬインタフェイス部を介して入力された信号を、前記Ｔ１信号及びＥ１信号の中のいずれかの信号のクラックに同期化すると共に、前記クラックに同期化された信号を前記Ｔ１信号及び前記Ｅ１信号の中のいずれかのフレーム構造に合うようにフレームを再構成し、さらに前記フレームに再構成された信号を前記Ｔ１信号及び前記Ｅ１信号の中のいずれかのビットレートに変換して前記ＳＨＤＳＬインタフェイス部或いは前記Ｅ１／Ｔ１インタフェイス部に出力するように制御する制御部と、を備えることを特徴にする。
【００１１】
前記ＳＨＤＳＬモデム装置は、前記ＳＨＤＳＬモデムから発信される信号の強さにより制限される所定の制限距離以上離れて配置された加入者装置に前記Ｔ１信号又は前記Ｅ１信号を伝達するための光モデムをさらに備えることができる。
【００１２】
また前記ＳＨＤＳＬモデム装置は、前記制御部は、前記ＳＨＤＳＬインタフェイス部から入力される信号を、前記Ｔ１信号及び前記Ｅ１信号の中のいずれかの信号のクラックに同期化すると共に、前記クラックに同期化された信号を前記Ｔ１信号及び前記Ｅ１信号の中のいずれかの信号のフレーム構造に合うようにフレームを再構成し、さらに前記フレームに再構成された信号を前記Ｔ１信号及び前記Ｅ１信号の中のいずれかの信号のビットレートに変換して前記ＳＨＤＳＬインタフェイス部から再出力するループバック機能を備えることができる。
【００１３】
また前記ＳＨＤＳＬモデム装置は、前記制御部は、Ｅ１／Ｔ１インタフェイス部から入力された信号を、前記Ｔ１信号及びＥ１信号の中のいずれかの信号のクラックに同期化すると共に、前記クラックに同期化された信号を前記Ｔ１信号及び前記Ｅ１信号の中のいずれかの信号のフレーム構造に合うように再構成し、さらに前記フレームが再構成された信号を前記Ｔ１信号及び前記Ｅ１信号の中のいずれかの信号のビットレートに変換してＥ１／Ｔ１インタフェイス部に再出力するループバック機能を備えることができる。
【００１４】
また前記ＳＨＤＳＬモデム装置は、前記Ｅ１／Ｔ１フレイマ/ディフレイマは、前記Ｔ１信号の制御チャンネルに含まれる制御情報を、前記Ｅ１信号の制御チャンネルに挿入するか、又は前記Ｅ１信号の制御チャンネルに含まれた制御情報を、前記Ｔ１信号の制御チャンネルに挿入することができる。
【考案の効果】
【００１５】
本考案によれば、Ｔ１信号又はＥ１信号を入出力するＥ１／Ｔ１インタフェイス部と、信号をＴ１信号又はＥ１信号のクラックと同期化するＰＬＬ部と、信号のフレーム構造をＴ１又はＥ１信号のフレーム構造に合うように再構成するＥ１／Ｔ１フレイマ／ディフレイマと、Ｔ１信号が入力される場合にこれをＥ１回線で使えるビットレートに変換して出力し、Ｅ１信号が入力される場合にこれをＴ１回線で使えるビットレートに変換して出力するＥ１／Ｔ１ビットレート変換部と、これらを制御する制御部とを備える構成としたことにより、別個にＥ１／Ｔ１変換機を設けなくともＳＨＤＳＬ電話局装置と加入者装置とを直接接続することができる。このためループバックテストのような回線検査の際に当該ＳＨＤＳＬモデムを検査することにより、結果としてＳＨＤＳＬ電話局装置側の全ての回線を点検できる。これにより回線管理を簡単にすることができ、作業員の負担を軽減することが可能になる。
【考案を実施するための最良の形態】
【００１６】
本考案の実施形態について添付図面を参照しながら以下に詳しく説明する。なお、図中において従来例と同一の構成要素には従来例と同一符号を付して説明する。また下記の説明及び添付図面において本考案の要旨を不明瞭にすると判断される場合には公知機能及び構成についての詳しい説明は省略する。
【００１７】
なお、本実施形態によるＳＨＤＳＬモデムは、上述したようにＳＨＤＳＬ電話局装置と加入者装置との連結を簡素化するために、以下に詳しく説明する種々の付加機能を一般的なＳＨＤＳＬモデムに新たに設けて、この付加機能を備えたＳＨＤＳＬモデムと加入者装置とが直接接続されることを可能にしたものである。
【００１８】
よって、ここではまず一般的なＳＨＤＳＬモデムの構成について図２を参照して説明しておく。図２は、当該モデムのブロック構成を示す図である。即ち、一般的なＳＨＤＳＬモデム(１０２)は、ＳＨＤＳＬインタフェイス部(２０４)、ＳＨＤＳＬ ＡＦＥ(Analog Front End)部(２０６)、ＳＨＤＳＬ ＤＳＰ(Digital Signal Processor)部(２０８)及び、メモリ部(２０２)が、制御部(２００)とそれぞれ接続されて構成されている。制御部(２００)は、接続された各装置を制御、つまり各装置に制御信号を出力することにより、ＳＨＤＳＬ電話局装置(１００)から入力されるアナログ信号(以下、「ＳＨＤＳＬ信号」と称する)をディジタル信号に変換して、これをＳＨＤＳＬ ＤＳＰ部(２０８)を介してＥ１／Ｔ１変換機(１１０)に供給すると共に、Ｅ１／Ｔ１変換機(１１０)から入力されるディジタル信号をアナログ信号に変換して、これをＳＨＤＳＬインタフェイス部(２０４)を介してＳＨＤＳＬ電話局装置(１００)に供給するようにする。
【００１９】
前記メモリ部(２０２)は、例えばラム(RAM：Random Access Memory)、ロム(ROM：Read Only Memory)、フラッシュ-メモリ(Flash Memory)等からなり、上記した制御部(２００)の制御動作に必要な各種の制御変数及び参照データなどを格納する。ＳＨＤＳＬインタフェイス部(２０４)は、上記した制御部(２００)の制御動作によって、ＳＨＤＳＬ電話局装置(１００)から供給されるアナログ信号を、ＳＨＤＳＬ ＡＦＥ部(２０６)に入力すると共に、ＳＨＤＳＬ ＡＦＥ部(２０６)から供給された信号を、ＳＨＤＳＬ電話局装置(１００)に供給する。ＳＨＤＳＬ ＡＦＥ部(２０６)は、ＳＨＤＳＬインタフェイス部(２０４)から入力されるアナログ信号をディジタル信号に変換してＳＨＤＳＬ ＤＳＰ部(２０８)に供給すると共に、ＳＨＤＳＬ ＤＳＰ部(２０８)から入力されるディジタル信号をアナログ信号に変換してＳＨＤＳＬインタフェイス部(２０４)に供給する。ＳＨＤＳＬ ＤＳＰ部(２０８)は、ＳＨＤＳＬ ＡＦＥ部(２０６)から供給されるディジタル信号を高速に変換処理することにより、Ｔ１回線で使われる信号(以下、「Ｔ１信号」という)又はＥ１回線で使われる信号(以下、「Ｅ１信号」という)のいずれか一方でＥ１／Ｔ１変換機(１１０)に供給すると共に、Ｅ１／Ｔ１変換機(１１０)から供給されるＴ１信号又はＥ１信号を分析してディジタルデータストリムを形成しこれをＳＨＤＳＬ ＡＦＥ部(２０６)に供給する。即ち、このような一般的なＳＨＤＳＬモデム(１０２)は、Ｔ１信号又はＥ１信号の中のいずれか一つだけを使えるようになっている。従って、仮にＳＨＤＳＬモデム(１０２)で使う回線の種類が加入者装置(１０４)と異なる場合には、図２で示すように、Ｅ１／Ｔ１変換機(１１０)を備えた構成とし、Ｅ１信号をＴ１信号に変換又はＥ１信号をＴ１信号に変換する必要がある。
【００２０】
続いて本実施形態によるＳＨＤＳＬモデムについて詳しく説明するが、ここでは加入者装置(１０４)で使われる回線とＳＨＤＳＬモデムで使われる回線とが異なる場合、例えばＳＨＤＳＬモデムでＥ１回線を使用し、加入者装置でＴ１回線を使用する場合を一例にして説明する。
【００２１】
本実施形態によるＳＨＤＳＬモデムのブロック構成を示している図３を参照すると、本実施形態によるＳＨＤＳＬモデムは、上記図２に示した一般的なＳＨＤＳＬモデム(１０２)が有する構成に加えて、Ｔ１信号又はＥ１信号を入出力するＥ１／Ｔ１のインタフェイス部(３０４)と、入出力される信号をＴ１信号又はＥ１信号のいずれかの信号で入出力することができるように、Ｔ１信号又はＥ１信号のクラックと同期化するＰＬＬ(Phased Locked Loop)部(３０６)と、入出力される信号のフレーム構造をＴ１信号又はＥ１信号のフレーム構造に合うように再構成するＥ１／Ｔ１フレイマ(Framer)/ディフレイマ(Deframer)(３０８)と、Ｔ１信号が入力される場合にこれをＥ１回線で使用可能なようにビットレート(Bit Rate)に変換して出力し、またＥ１信号が入力される場合にこれをＴ１回線で使用されるビットレートに変換して出力するＥ１／Ｔ１ビットレート変換部(３１０)と、をさらに備えた構成となっている。そして、上記Ｅ１／Ｔ１ビットレート変換部(３１０)は、前記ＳＨＤＳＬ ＤＳＰ部(２０８)と接続されており、このＳＨＤＳＬ ＤＳＰ部(２０８)との間でＴ１信号又はＥ１信号を交換する。
【００２２】
ここで、本実施形態によるＳＨＤＳＬモデムの制御部(３００)の制御動作については、ＳＨＤＳＬ電話局装置(１００)から供給されるアナログ信号をディジタル信号に変換し、これをＳＨＤＳＬ ＤＳＰ部(２０８)からＥ１／Ｔ１変換機(１１０)で変換可能な形態に処理して供給する過程までは、図２で示した一般的なＳＨＤＳＬモデム(１０２)の制御部(２００)の動作と同じである。そしてさらに、本実施形態による制御部(３００)は、ＳＨＤＳＬ ＤＳＰ部(２０８)からＥ１信号がＥ１／Ｔ１ビットレート変換部(３１０)に供給されると、Ｅ１／Ｔ１ビットレート変換部(３１０)を制御して、Ｅ１回線、即ち２．０４８Ｍｂｐｓのビットレートで供給される信号を、Ｔ１信号である１．５４４Ｍｂｐｓのビットレートで出力するバッファリング(buffering)の役割をするように制御する機能を有している。また、Ｅ１／Ｔ１フレイマ/ディフレイマ(３０８)の動作を制御して、当該Ｅ１／Ｔ１フレイマ/ディフレイマ(３０８)にＥ１信号で入力された信号が、Ｔ１信号のフレーム構成に合うように、そのフレームを再構成するように制御する。このようなフレームの再構成については、図４を参照して後で詳しく説明する。
【００２３】
そして、Ｅ１／Ｔ１フレイマ/ディフレイマ(３０８)でＴ１信号へのフレーム再構成が完了されると、制御部(３００)は、Ｅ１／Ｔ１フレイマ／ディフレイマ(３０８)及びＥ１／Ｔ１ビットレート変換部(３１０)の動作を制御して、Ｔ１信号のビットレートとＴ１信号のフレームから再構成されたＥ１信号がＰＬＬ部(３０６)に供給されるようにし、さらにＰＬＬ部(３０６)の動作を制御して、Ｅ１／Ｔ１インタフェイス部(３０４)からＴ１信号で出力するためのクラックと同期化されるように制御する。それから、制御部(３００)は、ＰＬＬ部(３０６)でクラック同期化が完了されると、Ｅ１／Ｔ１インタフェイス部(３０４)を通じて加入者装置(１０４)に信号が出力されるようにする。即ち、本実施形態によるＳＨＤＳＬモデムから加入者装置(１０４)に出力される信号は、加入者装置(１０４)で使用されるＴ１回線で使われるＴ１信号である。したがって、本実施形態によるＳＨＤＳＬモデムを用いれば別のＥ１／Ｔ１変換機(１１０)を設けずともＳＨＤＳＬ電話局装置(１００)と加入者装置(１０４)とを直接接続可能にすることができる。
【００２４】
上記説明においては、ＳＨＤＳＬモデムでＥ１信号が使われ、加入者装置(１０４)でＴ１信号が使われている場合を一例して説明した。しかしながら、反対にＳＨＤＳＬモデムでＴ１信号が使われ、加入者装置(１０４)でＥ１信号が使われている場合にも適用可能であることは勿論である。この場合、Ｅ１／Ｔ１ビットレート変換部(３１０)は、供給されたＴ１信号をバッファリングしてＥ１信号に適したビットレートに変換して出力する。またＥ１／Ｔ１フレイマ/ディフレイマ(３０８)は、供給されたＴ１信号のフレーム構造をＥ１信号のフレーム構造に合うようにデータフレームを再構成する。そして、フレーム再構成が完了されると、ＰＬＬ部(３０６)ではＥ１／Ｔ１フレイマ/ディフレイマ(３０８)で再構成されたＥ１信号のクラックと同期化して、Ｅ１／Ｔ１インタフェイス部(３０４)を通じてＥ１回線を使用している加入者装置(１０４)に供給する。
【００２５】
ところで、上記した過程は全て加入者装置(１０４)がＳＨＤＳＬ電話局装置(１００)からデータをダウンロードすることについて説明したが、反対に加入者装置(１０４)からデータをアップロードする場合であっても上述した過程とは逆の順序で動作させることにより、別個のＥ１／Ｔ１変換機(１１０)を設けずとも加入者装置(１０４)がデータのアップロードを行なうことができるのは勿論である。即ち、Ｔ１信号を使う加入者装置(１０４)からＥ１信号を使うＳＨＤＳＬ電話局装置(１００)にデータがアップロードされる場合を仮定してみると、Ｅ１／Ｔ１インタフェイス部(３０４)では加入者装置(１０４)からのＴ１信号を受信してＰＬＬ部(３０６)に入力し、ＰＬＬ部(３０６)では受信したＴ１信号をＥ１信号のクラックに同期化させる。そして、Ｅ１信号にクラックが同期化された信号はＥ１／Ｔ１フレイマ/ディフレイマ(３０８)に供給され、Ｅ１／Ｔ１フレイマ/ディフレイマ(３０８)では供給されたＴ１信号をＥ１信号のフレーム構造に合うようにフレームを再構成する。さらに、Ｅ１信号のフレームに再構成された信号は、Ｅ１／Ｔ１ビットレート変換部(３１０)に入力されてＥ１信号のビットレートに変換され、変換された信号は、ＳＨＤＳＬ ＤＳＰ部(２０８)に供給され、上述の場合と同様にＳＨＤＳＬ ＡＦＥ部(２０６)、ＳＨＤＳＬインタフェイス部(２０４)を通じてＳＨＤＳＬ電話局装置(１００)に供給される。したがって、加入者装置(１０４)で使われる信号がＥ１信号であり、ＳＨＤＳＬ電話局装置(１００)で使われる信号がＴ１である場合にも、本実施形態によるＳＨＤＳＬモデムを適用することが可能である。
【００２６】
また、上述の実施形態によるＳＨＤＳＬモデムを用いれば、図２に示した一般的なＳＨＤＳＬモデム(１０２)とは異なり、ループバックテスト(Loop-Back Test)によりＥ１／Ｔ１信号の変換の有無までもチェックすることが可能になる。即ち、一般的に、ループバックテストというのは回線上に発生した問題を検出する際に、あるいは回線の定期点検を行なう際において、各々の特定の構成要素から構成要素までの回線区間に異常が有るか否かをチェックするために行なわれるものであり、例えばモデムからテスト信号を送信し、テスト信号を送信したモデムが信号の品質はどうかをチェックすることである。
【００２７】
したがって、図１を参照してみると、一般的なＳＨＤＳＬモデム(１０２)の場合には、ＳＨＤＳＬモデム(１０２)でループバックテストにより回線を検査できる区間は、ＳＨＤＳＬ電話局装置(１００)からＳＨＤＳＬモデム(１０２)までの区間のみを点検できるだけである。これに対し、本実施形態によるＳＨＤＳＬモデムは、上記図３で示したように、Ｔ１信号をＥ１信号に変換し、Ｅ１信号をＴ１信号に変換する機能を備えているので、一般的なＳＨＤＳＬモデム(１０２)が検査可能な区間に加えて、Ｔ１信号又はＥ１信号の変換状態までもループバックテストによって確認することができる。即ち、ＳＨＤＳＬ電話局装置(１００)から本実施形態によるＳＨＤＳＬモデムまでの区間を検査するループバックテストの場合、ＳＨＤＳＬインタフェイス部(２０４)に入力された信号を、既述の動作（図３の各構成部の一連動作）を通じてＴ１信号又はＥ１信号に変換し、変換された信号を再びＴ１又はＥ１信号に変換してＳＨＤＳＬインタフェイス部(２０４)を通じて出力できるかの可否を確認することにより、回線の状態は勿論のことＥ１／Ｔ１信号の変換状態までも確認することができる。
【００２８】
また、本実施形態によるＳＨＤＳＬモデムから加入者装置(１０４)までの回線を確認する場合、加入者装置(１０４)からＥ１／Ｔ１インタフェイス部(３０４)に供給された信号を、既述の動作（図３の各構成部の一連動作）を通じてＴ１信号又はＥ１信号に変換し、変換された信号をＳＨＤＳＬインタフェイス部(２０４)でループバックテストさせることで再びＴ１信号又はＥ１信号に変換してＥ１／Ｔ１インタフェイス部(３０４)を通じて出力できるかの可否を確認することにより、回線状態は勿論のことＥ１／Ｔ１信号の変換状態までも確認することができる。即ち、本実施形態によれば、ＳＨＤＳＬモデム(１０２)にＥ１／Ｔ１の変換機能を備えた構成としたことにより、例えば光モデムを介在させたシステム構成にあっては、ＳＨＤＳＬ電話局装置(１００)から加入者側の光モデムまでループバックテストが可能になる。
【００２９】
続いて、フレームの再構成について図４を参照しながら詳しく説明する。図４は、Ｅ１／Ｔ１のフレイマ/ディフレイマ(３０８)で行なわれるフレームの再構成についての一例を示す図である。図４を参照すると、上述したようにＴ１信号は一般的に２４個のチャンネルがあるので、全部で２４個のタイムスロットを使用する。そしてＥ１信号は一般的に３２個のチャンネルがあるので、全部で３２個のタイムスロットを使用する。なお、図中の「ＴＳ」はタイムスロット(Time Slot)を示している。
【００３０】
まず、Ｔ１信号とＥ１信号とを単純に変換する場合を示す図４(ａ)を参照すると、この変換方式では内部タイムスロットの変換なしに、Ｔ１信号のタイムスロットが各々対応するＥ１信号のフレーム構成のタイムスロットに挿入されるように変換する。従って図４(ａ)に示すように、Ｔ１信号フレームのタイムスロット1番（ＴＳ１）に載せたデータは、Ｅ１信号フレームのタイムスロット1番（ＴＳ１）に挿入され、このようにしてＴ１信号の全てのタイムスロットに載せたデータは、順番にＥ１信号のフレームの対応するタイムスロットに各々挿入されることとなる。この変換過程においてＥ１信号フレームのタイムスロット０番（ＴＳ０）にはデータが挿入されないが、その理由はＥ１信号のタイムスロット０番（ＴＳ０）は同期化のための制御チャンネルに使用されるためである。
【００３１】
また、図４(b)は、本実施形態によるＳＨＤＳＬモデムがＩＳＤＮ ＰＲＩ(Private Rate Interface) ＰＡＢＸ(Private Automatic Branch Exchange：私設自動構内交換設備)とインタフェイスする場合での変換方式を一例に挙げて示してある。なお、ここでいうＰＲＩとは、一次群速度インタフェイスのことであり、Ｔ１信号においては、各々６４Ｋｂｐｓの２３個のデータチャンネルと、１個の制御チャンネルで構成されて１．５４４Ｍｂｐｓの広域幅を有している場合をいう。またＥ１信号においては、各々６４Ｋｂｐｓの３０個のデータチャンネルと、２個の制御チャンネルで構成されて２．０４８Ｍｂｐｓの広域幅を有している場合をいう。このような場合、Ｔ１信号は２４個のタイムスロットの中で最後（２４番目）のタイムスロットを制御チャンネルに使用し、Ｅ１信号は３２個のタイムスロットの中で最初のタイムスロットを同期のための制御チャンネルに使用し、さらに１７番目のタイムスロットをその他データチャンネルに対する制御情報が含まれる制御チャンネルに使用する。これを基に図４(ｂ)を参照してみると、Ｔ１信号フレームの制御チャンネルである２４番のタイムスロット（ＴＳ２４）に載せたデータはＥ１信号フレームの制御チャンネルである１６番のタイムスロット（ＴＳ１６）に挿入され、Ｔ１信号フレームの各タイムスロットに載せたデータは、対応するＥ１信号フレームの各タイムスロットに各々挿入される。
【００３２】
また、ＩＳＤＮ ＰＲＩ ＰＡＢＸの特性に従いＴ１信号フレームのチャンネルの中の２２個のデータチャンネルと、一つの制御チャンネルを使う場合がある。この場合、既存のタイムスロットの中でタイムスロット１６番（ＴＳ１６）は使われない。図４(ｃ)はこのような場合にＴ１信号からＥ１信号にフレーム構造が再構成される変換過程を示してある。図４(ｃ)を参照すると、使われないＴ１信号のタイムスロット１６番（ＴＳ１６）を除いた他のタイムスロットに載せられたデータは、各々対応するＥ１信号フレームの各タイムスロットに挿入される。そしてＴ１信号のタイムスロット２４番（ＴＳ１６）に載せられた制御情報は、上記図４(ｂ)のように、Ｅ１信号フレームの制御チャンネルに使われるタイムスロット１６番（ＴＳ１６）に挿入される。
【００３３】
このようにして、本実施形態によるＳＨＤＳＬモデムのＥ１／Ｔ１フレイマ/ディフレイマ(３０８)では、供給されたＴ１信号又はＥ１信号を予定とする信号のフレーム構造に合うようにフレームを再構成する。このため、Ｔ１信号の各タイムスロットに含まれるデータをＥ１信号に利用することが可能になる。そして、上記説明ではＴ１信号をＥ１信号に変換する例を説明したが、図４の(ａ)〜(ｃ)を参照すれば、本実施形態によるＳＨＤＳＬモデムにＥ１信号が入力される場合であっても、これをＴ１信号に変換して出力することができることは勿論である。従って、Ｅ１信号の各タイムスロットに含まれるデータもＴ１信号に用いられることが出来る。即ち、本実施形態によるＳＨＤＳＬモデムを用いれば、Ｔ１信号をＥ１信号に変換して出力し、反対にＥ１信号をＴ１信号に変換して出力することの両方を行なうことが可能となる。その結果、別個にＥ１／Ｔ１変換機を設けずともＳＨＤＳＬ電話局装置と加入者装置とを直接接続することが可能になる。
【００３４】
ここで、上述した本考案の説明では具体的な実施形態に関して説明したが、これに限られず種々の変形が本考案の範囲から外れない範囲で実施できる。即ち、上述の実施形態では、Ｔ１信号またはＥ１信号を入出力するＥ１／Ｔ１インタフェイス部、入出力される信号のクラックをＴ１信号又はＥ１信号のいずれかの信号で入出力できるようにＴ１信号又はＥ１信号のクラックと同期化するＰＬＬ部、入出力される信号のフレーム構造をＴ１信号又はＥ１信号のフレーム構造に合うように再構成するＥ１／Ｔ１フレイマ/ディフレイマ、Ｔ１信号が入力された場合これをＥ１回線で使用可能なビットレートに変換して出力し、Ｅ１信号が入力された場合これをＴ１回線で使用可能なビットレートに変換して出力するＥ１／Ｔ１ビットレート変換部を備えるＳＨＤＳＬモデムをその一例（第１実施形態）に挙げて説明した。
【００３５】
しかしながら、加入者装置とＳＨＤＳＬモデムとの離間距離が制限された距離(約２００ｍ)以上である場合には、加入者装置がＳＨＤＳＬモデムと通信することができない。 したがって、この場合にはＳＨＤＳＬモデムはさらに光モデムを備えた構成とすることができる。図５は、光モデムをさらに備えた第２実施形態によるＳＨＤＳＬモデムのブロック構成を示す図である。図５を参照すると、当該第２実施形態によるＳＨＤＳＬモデムは、上記第１実施形態によるＳＨＤＳＬモデムの構成に加えて光モデム(５００)をさらに備えた構成である。 このような構成とすることにより、当該第２実施形態によるＳＨＤＳＬモデムは、たとえＳＨＤＳＬ電話局装置で使われる回線と加入者装置で使われる回線とが互いに異なり、且つＳＨＤＳＬ電話局装置と加入者装置とが制限された距離以上に離れている場合であっても、加入者装置の光モデムを通じて加入者装置とＳＨＤＳＬ電話局装置とが互いにデータを交換可能にすることができる。
【００３６】
以上、本考案を具体的な実施形態に則して詳細に説明したが、本考案の範囲は、上述の実施形態によって限定されるものではなく特許請求範囲及びこれと均等なものの範囲により定められるべきである。
【図面の簡単な説明】
【００３７】
【図１】ＳＨＤＳＬ技術を適用したＳＨＤＳＬ電話局装置と加入者装置とが連結される種々の構成を示す図である。
【図２】一般的なＳＨＤＳＬモデムのブロック構成図である。
【図３】本考案の第１の実施形態によるＳＨＤＳＬモデムのブロック構成図である。
【図４】本考案の第１の実施形態によるＳＨＤＳＬモデムで加入者装置の回線環境に従って再構成されるデータフレームの例示図である。
【図５】本考案の第２の実施形態によるＳＨＤＳＬモデムのブロック構成図である。
【符号の説明】
【００３８】
１００  ＳＨＳＤＬ電話局装置
１０４  加入者装置
２００  制御部
２０２  メモリ部
２０４  ＳＨＤＳＬインタフェイス部
２０６  ＳＨＤＳＬ  ＡＦＥ部
２０８  ＳＨＤＳＬ  ＤＳＰ部
３０４  Ｅ１／Ｔ１インタフェイス部
３０６  ＰＬＬ部
３０８  Ｅ１／Ｔ１フレイマ／ディフレイマ
３１０  Ｅ１／Ｔ１ビットレート変換部
【図１】
0003110738.tif 000003
【図２】
0003110738.tif 000004
【図３】
0003110738.tif 000005
【図４】
0003110738.tif 000006
【図５】
0003110738.tif 000007